Podtech/llm-jp-corpus-v4-ja_patent huggingface dataset:
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
整形外科用インプラントであって、
骨接触表面を有する金属を含む骨界面部材、及び、
ベアリング表面及び付着区域を有する水膨潤性ＩＰＮ又は半ＩＰＮ部材
を含み、
前記付着区域が化学結合により前記骨界面部材へ付着しており、
前記水膨潤性ＩＰＮ又は半ＩＰＮ部材が、前記ベアリング表面と前記付着区域との間で組成勾配を示すように構成された、ポリウレタンを含む疎水性の熱硬化性又は熱可塑性ポリマーの第１のネットワークと、スルホン酸官能基を含むイオン性ポリマーの第２のネットワークとを含む、整形外科用インプラント。
【請求項２】
前記化学結合がウレタン結合を含む、請求項１に記載のインプラント。
【請求項３】
前記スルホン酸官能基を含むイオン性ポリマーの第２のネットワークが、
スルホン酸基を含有するビニル系モノマー、及び、
スルホン酸がコンジュゲートされている、アリルエーテル、アクリレート／メタクリレート、ビニル基又はアクリルアミドを含むモノマー
からなる群より選ばれる重合モノマーから形成される、請求項１に記載のインプラント。
【請求項４】
前記重合モノマーが、アクリルアミドメチルプロパンスルホン酸、ビニルスルホン酸、３−スルホプロピルアクリレート（もしくはメタクリレート）、又は、２−メチル−２−プロペン−１−スルホン酸である、請求項３に記載のインプラント。
【請求項５】
前記組成勾配が剛性勾配を形成する、及び／又は、
前記ネットワークのうちの１つが、前記インプラントの第１の部分から前記インプラントの第２の部分への水和勾配を形成する、請求項１に記載のインプラント。
【請求項６】
前記骨界面部材がセラミック又はポリマーを含む、請求項１に記載のインプラント。
【請求項７】
前記付着区域の骨界面部材への付着が接着剤によって生成される、請求項１に記載のインプラント。
【請求項８】
前記イオン性ポリマーの第２のネットワークが固定電荷を有する、請求項１に記載のインプラント。
【請求項９】
前記ＩＰＮ又は半ＩＰＮ部材の厚さは、最も厚い領域において５ｍｍ未満である、請求項１に記載のインプラント。
【請求項１０】
関節唇コンポーネントを更に含む、請求項１に記載のインプラント。
【請求項１１】
前記インプラントが、キャップ、カップ、プラグ、マッシュルーム、パッチ及びステムからなる群より選ばれる形状を有する、請求項１に記載のインプラント。
【請求項１２】
前記インプラントが、肩鎖関節、足首関節、関節丘、肘関節、指関節、関節窩、股関節、椎間板、椎間板椎間関節、関節唇、半月板、中手骨関節、中足骨関節、膝蓋骨、脛骨プラトー、足指関節、顎関節、又は手首関節に適合するように構成されている、請求項１に記載のインプラント。
【手続補正２】
【補正対象書類名】明細書
【補正対象項目名】０２３８
【補正方法】変更
【補正の内容】
【０２３８】
（０００３１８）  他の修正は当業者に明らかである。本発明に関する更なる詳細に関して、関連技術の当業者のレベルの範囲内にあるような材料及び製造技術を利用することができる。一般的に又は論理的に利用される追加の行為の観点から、本発明の方法に基づく態様に関しても同じことが言えるであろう。また、記載されている発明のバリエーションのどの任意の特徴も、独立に又は本明細書に記載の特徴のうちの任意の１つもしくは複数と組み合わせて記載及び特許請求され得ると考えられる。同様に、単数の物品への言及は、同一物品が複数存在する可能性を含む。より具体的には、本明細書及び添付の特許請求の範囲で使用されるように、単数形の「１つの（ａ）」、「１つの（ａｎ）」、「該」、及び「その（ｔｈｅ）」は、文脈上、そうでないと明らかに示されていない限り、複数の指示対象を含む。特許請求の範囲は、任意の要素を除外するように書かれ得ることに更に留意されたい。従って、この記述は、クレーム要素の列挙、又は「否定的な」限定の使用に関連して、「だけ」、「のみ」などのような排他的用語の使用のための先行詞としての役割を果たすことが意図される。本明細書で別途定義されない限り、本明細書で使用される全ての技術用語及び科学用語は、本発明が属する分野の当業者によって共通に理解されているのと同じ意味を有する。本発明の広さは、本明細書によってではなく、むしろ利用されるクレーム用語の単純な意味によってのみ限定されるべきである。
本発明のまた別の態様は、以下のとおりであってもよい。
〔１〕ベアリング表面及び付着区域を含むポリマーベアリング部材；並びに
前記ポリマーベアリング部材の前記付着区域に付着し、かつ金属及び前記金属中の空間を含む骨界面部材：
を含む整形外科用インプラントであって、骨界面部材を骨表面に適合させるように第１の形状から第２の形状へと変形可能である、整形外科用インプラント。
〔２〕前記空間が前記金属中に空孔を含む、前記〔１〕に記載の整形外科用インプラント。
〔３〕前記空間が前記金属中にスロットを含む、前記〔１〕に記載の整形外科用インプラント。
〔４〕前記骨界面部材が、付着表面に付着し、かつ互いに分離されている複数の金属部材を含む、前記〔１〕に記載の整形外科用インプラント。
〔５〕前記付着区域が、錐体状構造物、くぼみ、溝、くい、支柱、ピン、及びピラミッド状構造物からなる群から選択される特徴を含む、前記〔１〕に記載の整形外科用インプラント。
〔６〕前記骨界面部材が前記ポリマーベアリング部材に物理的に付着している、前記〔１〕に記載の整形外科用インプラント。
〔７〕前記ポリマーベアリング部材と前記骨界面部材との間の化学結合を更に含む、前記〔１〕に記載の整形外科用インプラント。
〔８〕前記付着区域の前記骨界面部材への付着が接着剤によって生成される、前記〔１〕に記載の整形外科用インプラント。
〔９〕前記ポリマーベアリング部材が水膨潤性ＩＰＮ又は半ＩＰＮを含む、前記〔１〕に記載の整形外科用インプラント。
〔１０〕前記水膨潤性ＩＰＮ又は半ＩＰＮ部材が、疎水性の熱硬化性又は熱可塑性ポリマーの第１のネットワークとイオン性ポリマーの第２のネットワークとを含む、前記〔１〕に記載の整形外科用インプラント。
〔１１〕金属部分と、付着区域及びベアリング表面を有する可撓性ポリマーとを含み、前記金属部分が前記付着区域に付着している、整形外科用インプラントを関節に挿入する方法であって：
第１の形状の前記インプラントを前記関節に挿入すること；及び
前記インプラントを前記第１の形状から第２の形状に変化させて、前記関節を形成する骨の少なくとも一部の形状に適合させること
を含む、方法。
〔１２〕第１の変化させる工程の後に、前記インプラントを前記第２の形状から前記第１の形状に戻すことを更に含む、前記〔１１〕に記載の方法。
〔１３〕前記変化させる工程の前に、前記インプラントをもとの形状から前記第１の形状へと変形させることを更に含む、前記〔１１〕に記載の方法。
〔１４〕前記関節が股関節であり、前記インプラントが、大腿骨頭への配置のために構成されており、かつ変形させることが、前記大腿骨頭に適合するように、前記インプラントの一部を拡張することを含む、前記〔１〕に記載の方法。
【手続補正書】
【提出日】平成28年12月22日(2016.12.22)
【手続補正１】
【補正対象書類名】明細書
【補正対象項目名】発明の名称
【補正方法】変更
【補正の内容】
【発明の名称】自律型掃除ロボット
【手続補正２】
【補正対象書類名】特許請求の範囲
【補正対象項目名】全文
【補正方法】変更
【補正の内容】
【特許請求の範囲】
【請求項１】
自律型掃除ロボットであって、
シャーシと、
前記シャーシに搭載され、前記ロボットを床面上で操縦するように構成された駆動システムと、
前記シャーシによって担持され、縁部掃除ヘッドモータによって駆動されて非水平軸回りに回転する縁部掃除ヘッドであって、前記ロボットが前記床面上で操縦される間、該床面に係合するように該シャーシの横方向の範囲を越えて延びる、縁部掃除ヘッドと、
前記縁部掃除ヘッドモータの縁部掃除ヘッドモータ電流を監視する制御装置と、を備え、
前記制御装置は、前記縁部掃除ヘッドモータ電流の上昇の検出に応答して、前記ロボットの動作によって前記縁部掃除ヘッドの絡まりが解けるように前記駆動システムを制御して該ロボットを操縦することによって該ロボットを航行させる、
自律型掃除ロボット。
【請求項２】
前記シャーシによって担持され、掃除ヘッドモータによって駆動されて水平軸回りに回転する掃除ヘッド本体であって、前記ロボットが前記駆動システムによって操縦される間、前記床面に係合するように配置された掃除ヘッド本体を更に備え、
前記制御装置は前記掃除ヘッドモータの掃除ヘッドモータ電流を監視し、
前記制御装置は、前記掃除ヘッドモータ電流の上昇の検出に応答して、前記ロボットの動作によって前記掃除ヘッド本体の絡まりが解けるように前記駆動システムを制御して該ロボットを操縦することによって該ロボットを航行させる、
請求項１に記載の自律型掃除ロボット。
【請求項３】
前記ロボットの動作によって前記掃除ヘッド本体の絡まりが解けるように前記駆動システムを制御して該ロボットを操縦することは、前記掃除ヘッド本体の角速度を変化させることを含む、
請求項２に記載の自律型掃除ロボット。
【請求項４】
前記掃除ヘッド本体の角速度を変化させることは、前記掃除ヘッドモータを逆バイアスすることを含む、
請求項３に記載の自律型掃除ロボット。
【請求項５】
前記掃除ヘッドモータを逆バイアスすることは、前記掃除ヘッド本体の回転をほぼニュートラルに維持する、
請求項４に記載の自律型掃除ロボット。
【請求項６】
前記掃除ヘッド本体の角速度を変化させることは、前記掃除ヘッドモータの電源を切ることを含む、
請求項３に記載の自律型掃除ロボット。
【請求項７】
前記ロボットの動作によって前記縁部掃除ヘッドの絡まりが解けるように前記駆動システムを制御して該ロボットを操縦することは、前記縁部掃除ヘッドの角速度を変化させることを含む、
請求項１に記載の自律型掃除ロボット。
【請求項８】
前記縁部掃除ヘッドの角速度を変化させることは、前記縁部掃除ヘッドモータを逆バイアスすることを含む、
請求項７に記載の自律型掃除ロボット。
【請求項９】
前記縁部掃除ヘッドモータを逆バイアスすることは、前記縁部掃除ヘッドの回転をほぼニュートラルに維持する、
請求項８に記載の自律型掃除ロボット。
【請求項１０】
前記縁部掃除ヘッドの角速度を変化させることは、前記縁部掃除ヘッドモータの電源を切ることを含む、
請求項７に記載の自律型掃除ロボット。
【請求項１１】
前記ロボットの動作によって前記掃除ヘッド本体の絡まりが解けるように前記駆動システムを制御して該ロボットを操縦することは、該ロボットを後退させ、該ロボットの向きを変更し、次いで該ロボットを前進させることを含む、
請求項２に記載の自律型掃除ロボット。
【請求項１２】
前記掃除ヘッド本体は、該掃除ヘッド本体上で前記水平軸回りに回転する剛毛を備える、
請求項２に記載の自律型掃除ロボット。
【請求項１３】
前記掃除ヘッド本体は、該掃除ヘッド本体の長さ方向に沿って配置された一以上の柔らかいフラップを更に備える、
請求項１２に記載の自律型掃除ロボット。
【請求項１４】
前記一以上の柔らかいフラップは、前記掃除ヘッド本体に沿って湾曲している、
請求項１３に記載の自律型掃除ロボット。
【請求項１５】
前記縁部掃除ヘッドは、前記床面に係合するように前記シャーシの横方向の範囲を越えて延びる剛毛を有するブラシを備え、
前記非水平軸は垂直軸である、
請求項１に記載の自律型掃除ロボット。
【請求項１６】
前記ロボットの動作によって前記掃除ヘッド本体の絡まりが解けるように前記駆動システムを制御して該ロボットを操縦することは、該掃除ヘッド本体に絡まった柔軟な部材が該掃除ヘッド本体を引っ張って該柔軟な部材を該掃除ヘッド本体からほどくことを可能にするように該ロボットを操縦することを含む、
請求項２に記載の自律型掃除ロボット。
【請求項１７】
前記縁部掃除ヘッドは、それぞれが隣接するブラシ要素との間に約１２０度の角度を形成する三つのブラシ要素を備える、
請求項１に記載の自律型掃除ロボット。
【請求項１８】
前記縁部掃除ヘッドは、それぞれが隣接するブラシ要素との間に約６０度の角度を形成する六つのブラシ要素を備える、
請求項１に記載の自律型掃除ロボット。
【請求項１９】
前記縁部掃除ヘッドは、前記シャーシの周縁を越えて延びる回転可能な水切りを備える、
請求項１に記載の自律型掃除ロボット。
【請求項２０】
前記縁部掃除ヘッドは、該縁部掃除ヘッドが回転すると前記シャーシの周縁を越えて延びる複数の吸着繊維を備える、
請求項１に記載の自律型掃除ロボット。
【手続補正書】
【提出日】平成29年6月30日(2017.6.30)
【手続補正１】
【補正対象書類名】特許請求の範囲
【補正対象項目名】請求項１
【補正方法】変更
【補正の内容】
【請求項１】
図柄始動条件が成立することに基づいて取得した乱数値を記憶する乱数記憶手段と、
変動開始条件が成立した場合に、前記乱数記憶手段から取り出した前記乱数値が所定の判定値と一致するか否かを判定する変動開始時判定手段と、
前記変動開始時判定手段による判定結果に基づいて図柄を変動表示する図柄表示手段と、
前記変動開始時判定手段により前記乱数値が前記判定値と一致する旨の判定結果が得られることに基づいて前記図柄表示手段の変動後の停止図柄が特定態様となった場合に利益状態を発生させる利益状態発生手段と、
前記乱数記憶手段に記憶され且つ前記図柄表示手段による図柄変動に供されていない前記乱数値の数である保留個数に関する保留個数情報を表示する保留個数情報表示手段と、
前記変動開始時判定手段による判定よりも前に、前記乱数値が前記判定値と一致するか否かを判定する先読み判定手段と
を備えた遊技機において、
前記保留個数情報表示手段は、前記乱数記憶手段に記憶され且つ前記変動開始時判定手段による判定に供されていない前記各乱数値に対応する前記保留個数分の保留表示体を表示状態とすることにより前記保留個数情報を表示可能であると共に、前記保留表示体の表示態様を前記先読み判定手段による判定結果に基づいて所定の先読み表示態様に変更することが可能であり、
所定対象期間中は、第１表示設定に設定された場合には前記保留個数情報表示手段による前記先読み表示態様の表示を行い、第２表示設定に設定された場合には前記保留個数情報表示手段による前記先読み表示態様の表示を行わないように構成し、
操作手段が操作されることに基づいて前記第１／第２表示設定の設定を変更可能な変更手段を備えた
ことを特徴とする遊技機。
【手続補正２】
【補正対象書類名】明細書
【補正対象項目名】０００８
【補正方法】変更
【補正の内容】
【０００８】
本発明は、図柄始動条件が成立することに基づいて取得した乱数値を記憶する乱数記憶手段６３と、変動開始条件が成立した場合に、前記乱数記憶手段６３から取り出した前記乱数値が所定の判定値と一致するか否かを判定する変動開始時判定手段６４ａと、前記変動開始時判定手段６４ａによる判定結果に基づいて図柄を変動表示する図柄表示手段３５と、前記変動開始時判定手段６４ａにより前記乱数値が前記判定値と一致する旨の判定結果が得られることに基づいて前記図柄表示手段３５の変動後の停止図柄が特定態様となった場合に利益状態を発生させる利益状態発生手段６７と、前記乱数記憶手段６３に記憶され且つ前記図柄表示手段３５による図柄変動に供されていない前記乱数値の数である保留個数に関する保留個数情報を表示する保留個数情報表示手段３１と、前記変動開始時判定手段６４ａによる判定よりも前に、前記乱数値が前記判定値と一致するか否かを判定する先読み判定手段６２ａとを備えた遊技機において、前記保留個数情報表示手段３１は、前記乱数記憶手段６３に記憶され且つ前記変動開始時判定手段６４ａによる判定に供されていない前記各乱数値に対応する前記保留個数分の保留表示体Ａを表示状態とすることにより前記保留個数情報を表示可能であると共に、前記保留表示体Ａの表示態様を前記先読み判定手段６２ａによる判定結果に基づいて所定の先読み表示態様に変更することが可能であり、所定対象期間中は、第１表示設定に設定された場合には前記保留個数情報表示手段３１による前記先読み表示態様の表示を行い、第２表示設定に設定された場合には前記保留個数情報表示手段３１による前記先読み表示態様の表示を行わないように構成し、操作手段１６が操作されることに基づいて前記第１／第２表示設定の設定を変更可能な変更手段７５を備えたものである。
また、図柄始動条件が成立することに基づいて取得した乱数値を記憶する乱数記憶手段６３と、変動開始条件が成立した場合に、前記乱数記憶手段６３から取り出した前記乱数値が所定の判定値と一致するか否かを判定する変動開始時判定手段６４ａと、前記変動開始時判定手段６４ａによる判定結果に基づいて図柄を変動表示する図柄表示手段３５と、前記変動開始時判定手段６４ａにより前記乱数値が前記判定値と一致する旨の判定結果が得られることに基づいて前記図柄表示手段３５の変動後の停止図柄が特定態様となった場合に利益状態を発生させる利益状態発生手段６７と、前記乱数記憶手段６３に記憶され且つ前記図柄表示手段３５による図柄変動に供されていない前記乱数値の数である保留個数に関する保留個数情報を表示する保留個数情報表示手段３１と、前記利益状態発生手段６７による前記利益状態の発生後に特別遊技状態を発生させる特別遊技状態発生手段６８とを備えた遊技機において、前記特別遊技状態を含む所定対象期間中は、第１表示設定に設定された場合には前記保留個数情報表示手段３１による前記保留個数情報の表示を行い、第２表示設定に設定された場合には前記保留個数情報表示手段３１による前記保留個数情報の表示を行わないように構成し、操作手段１６が操作されることに基づいて前記第１／第２表示設定の設定を変更可能な保留個数表示変更手段７５を備えた構成としてもよい。
ここで、前記特別遊技状態は、前記乱数値が前記判定値と一致する頻度を高くし前記利益状態を高頻度に発生させる高頻度状態としてもよい。
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
電動機の電流を検出して入力する電流入力部と、前記電流の電流値の統計的なばらつきがしきい値以下の電流区間を前記電流入力部からの電流が安定状態のときとして前記電流のパワースペクトルを解析するＦＦＴ解析部と、前記ＦＦＴ解析部で求められたパワースペクトルのピーク箇所を検出するピーク検出演算部と、前記ＦＦＴ解析部で解析されたパワースペクトルの複数回分を平均化する平均化演算部と、前記平均化演算部で平均化されたパワースペクトルの側帯波を抽出する側帯波抽出部と、前記側帯波抽出部で設定値以上の信号強度の側帯波が抽出されたとき警報出力を行う警報出力部を備えていることを特徴とする電動機の診断装置。
【請求項２】
前記平均化演算部は複数回分のパワースペクトルの周波数軸を変換して回転周波数帯によるピーク箇所を合わした状態で平均化することを特徴とする請求項１に記載の電動機の診断装置。
【請求項３】
前記平均化演算部で平均化されたパワースペクトルの情報を保存しておいて側帯波をトレンド監視することを特徴とする請求項１または２に記載の電動機の診断装置。
【手続補正２】
【補正対象書類名】明細書
【補正対象項目名】０００６
【補正方法】変更
【補正の内容】
【０００６】
この発明に係る電動機の診断装置は、電動機の電流を検出して入力する電流入力部と、前記電流の電流値の統計的なばらつきがしきい値以下の電流区間を前記電流入力部からの電流が安定状態のときとして前記電流のパワースペクトルを解析するＦＦＴ解析部と、前記ＦＦＴ解析部で求められたパワースペクトルのピーク箇所を検出するピーク検出演算部と、前記ＦＦＴ解析部で解析されたパワースペクトルの複数回分を平均化する平均化演算部と、前記平均化演算部で平均化されたパワースペクトルの側帯波を抽出する側帯波抽出部と、前記側帯波抽出部で設定値以上の信号強度の側帯波が抽出されたとき警報出力を行う警報出力部を備えていることを特徴とするものである。
【手続補正３】
【補正対象書類名】明細書
【補正対象項目名】０００７
【補正方法】変更
【補正の内容】
【０００７】
この発明によれば、電動機の電流を検出して入力する電流入力部と、前記電流の電流値の統計的なばらつきがしきい値以下の電流区間を前記電流入力部からの電流が安定状態のときとして前記電流のパワースペクトルを解析するＦＦＴ解析部と、前記ＦＦＴ解析部で求められたパワースペクトルのピーク箇所を検出するピーク検出演算部と、前記ＦＦＴ解析部で解析されたパワースペクトルの複数回分を平均化する平均化演算部と、前記平均化演算部で平均化されたパワースペクトルの側帯波を抽出する側帯波抽出部と、前記側帯波抽出部で設定値以上の信号強度の側帯波が抽出されたとき警報出力を行う警報出力部を備えているため、電流が安定状態の時にＦＦＴ解析部でパワースペクトルの解析を行うことにより、電源周波数の両側に発生するピーク箇所を確実に検出できるようになる。また、平均化演算部で複数回のパワースペクトルを平均化することで、例えばノイズ等によりパワースペクトルに混入したピーク箇所の信号強度が低減されて、側帯波抽出部でより確実に側帯波を抽出できることとなり、負荷トルクが変動する電動機においても、電源周波数の近傍の両側にピーク状に発生する側帯波を検出することによって、電動機の異常の有無を診断することができる電動機の診断装置を得ることができる効果がある。
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
光源と、
前記光源から出射された光が通過可能な第一の部分が形成された第一部材と、
移動可能な部材であって、前記光源から出射された光が通過可能な第二の部分が形成された第二部材と、
を備え、
前記第二部材が移動することで、前記第一の部分と前記第二の部分の相対位置が変化し、当該第一の部分と第二の部分の両方を通過する光の量が変化することを特徴とする遊技機。
【手続補正２】
【補正対象書類名】明細書
【補正対象項目名】０００６
【補正方法】変更
【補正の内容】
【０００６】
請求項１の発明にかかる遊技機は、光源と、前記光源から出射された光が通過可能な第一の部分が形成された第一部材と、移動可能な部材であって、前記光源から出射された光が通過可能な第二の部分が形成された第二部材と、を備え、前記第二部材が移動することで、前記第一の部分と前記第二の部分の相対位置が変化し、当該第一の部分と第二の部分の両方を通過する光の量が変化することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
移動部材の移動によって光による装飾態様が変化する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００４５
【補正方法】変更
【補正の内容】
【００４５】
また、上記実施形態では、誘導部材３０は金属材料で形成されていることを説明したが、金属材料以外の導電性材料で形成されていてもよい。また、上記実施形態では、透過部材４０は全体が透明な材料で形成されていることを説明したが、電気部品としてＬＥＤ５０が用いられる場合には、ＬＥＤ５０から出射された光の少なくとも一部を透過させる構成であればよい。ただし、電気部品としてＬＥＤ５０のような光学部品以外の部品が収容凹部４１（収容孔４４）内に収容される構成である場合には、光を透過させる必要がないため、絶縁性材料で形成されていればよい。
上記実施形態から得られる具体的手段（遊技機）を以下に列挙する。
手段１にかかる遊技機は、電気部品と、前記電気部品の一方側に配置された導電性部材と、前記電気部品と前記導電性部材の間に配置された絶縁性部材と、を備え、前記絶縁性部材には、前記導電性部材側に向かって窪む凹部である収容凹部または貫通孔である収容孔が形成されており、前記電気部品は、前記導電性部材に接しないようにして、前記収容凹部または前記収容孔の内側に配置されていることを特徴とする。
手段２にかかる遊技機は、手段１に記載の遊技機において、前記絶縁性部材は、前記収容凹部または前記収容孔の少なくとも一部を形成する部分であって、前記導電性部材側に向かって突出した突出部を有することを特徴とする。
手段３にかかる遊技機は、手段２に記載の遊技機において、前記導電性部材には、前記導電性部材が位置する側とは反対側に向かって窪む凹部である嵌合凹部または貫通孔である嵌合孔が形成されており、前記突出部は、前記嵌合凹部または前記嵌合孔内に嵌まり込んでいることを特徴とする。
手段４にかかる遊技機は、手段１から手段３のいずれかに記載の遊技機において、前記導電性部材は、前記絶縁性部材よりも強度の高い材質で形成されていることを特徴とする。
手段５にかかる遊技機は、手段１から手段４のいずれかに記載の遊技機において、前記収容凹部を形成する壁には、当該収容凹部の内側と外側を繋ぐ貫通孔が形成されていることを特徴とする。
手段１にかかる遊技機では、絶縁性部材に形成された収容凹部または収容孔の内側に電気部品が配置されるから、導電性部材の存在によって電気部品が破壊されてしまうおそれを低減することが可能である。つまり、導電性部材と電気部品とを近接させて配置させることが可能である。
手段２にかかる遊技機のように、収容凹部または収容孔の少なくとも一部を形成する導電性部材側に向かって突出した突出部を絶縁性部材に形成すれば、電気部品が収容される収容凹部または収容孔の内側のスペースを大きく（維持）しつつ、絶縁性部材のその他の部分の厚み等を小さくすることが可能である。
手段３にかかる遊技機のように、絶縁性部材に形成された突出部が、導電性部材に形成された嵌合凹部または嵌合孔内に嵌まり込む構造とすれば、電気部品、導電性部材および絶縁性部材によって構成されるユニット全体の大きさ（厚み）を小さくすることが可能である。また、突出部と嵌合凹部または嵌合孔の嵌合により、絶縁性部材に対して導電性部材を位置決めすることも可能である。
手段４にかかる遊技機のように、電気部品の近くに高強度の導電性部材を用いることが可能となる。
手段５にかかる遊技機のように、収容凹部の内側と外側を繋ぐ貫通孔が形成されていれば、電気部品に発生する熱の放熱効率を高めることが可能である。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
音を出力可能な音出力手段と、
光を発する発光手段と、
前記音出力手段から出力される音の音量を遊技場側が設定可能な第１設定手段と、
前記音出力手段から出力される音の音量を遊技者が設定可能な第２設定手段と、
遊技機への電源供給が停止しても所定期間、記憶内容を保持可能であり、制御を行う際に発生する変動データを記憶する変動データ記憶手段と、
前記変動データ記憶手段の記憶内容を初期化する初期化処理を実行する初期化手段と、
前記初期化処理の実行を報知する初期化報知手段と、
遊技者の動作を検出可能な検出手段と、
表示手段と、
を備え、
前記第２設定手段は、前記第１設定手段により設定された音量である基準値から所定範囲の音量を遊技者が設定可能であるとともに、前記第１設定手段による設定によっては、遊技者が音量を設定不能であり、
前記初期化報知手段は、初期化処理の実行にもとづいて、光量設定にかかわらず前記発光手段により所定光量で光を発光させ、
前記第１設定手段は、一の設定操作によって前記第２設定手段による音量設定の可否及び設定可能な範囲を設定可能であり、
前記表示手段は、前記検出手段により遊技者の動作が検出されたことにもとづいて、遊技者が前記第２設定手段により音量を設定するための音量選択画面を表示する
ことを特徴とする遊技機。
【手続補正２】
【補正対象書類名】明細書
【補正対象項目名】００１０
【補正方法】変更
【補正の内容】
【００１０】
前記課題を解決するために、本発明の請求項１に記載の遊技機は、
遊技が可能な遊技機であって、
音を出力可能な音出力手段と、
光を発する発光手段と、
前記音出力手段から出力される音の音量を遊技場側が設定可能な第１設定手段と、
前記音出力手段から出力される音の音量を遊技者が設定可能な第２設定手段と、
遊技機への電源供給が停止しても所定期間、記憶内容を保持可能であり、制御を行う際に発生する変動データを記憶する変動データ記憶手段と、
前記変動データ記憶手段の記憶内容を初期化する初期化処理を実行する初期化手段と、
前記初期化処理の実行を報知する初期化報知手段と、
遊技者の動作を検出可能な検出手段と、
表示手段と、
を備え、
前記第２設定手段は、前記第１設定手段により設定された音量である基準値から所定範囲の音量を遊技者が設定可能であるとともに、前記第１設定手段による設定によっては、遊技者が音量を設定不能であり、
前記初期化報知手段は、初期化処理の実行にもとづいて、光量設定にかかわらず前記発光手段により所定光量で光を発光させ、
前記第１設定手段は、一の設定操作によって前記第２設定手段による音量設定の可否及び設定可能な範囲を設定可能であり、
前記表示手段は、前記検出手段により遊技者の動作が検出されたことにもとづいて、遊技者が前記第２設定手段により音量を設定するための音量選択画面を表示する
ことを特徴としている。
この特徴によれば、不適切な演出が実行されてしまうことを防止できる。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
遊技者の操作によって遊技球を打ち込む打球発射装置と、
該打球発射装置によって遊技球が打ち込まれる遊技領域、及び該遊技領域内に配置され打ち込まれた遊技球を受入可能とされた受入口を少なくとも有する遊技盤と、
該遊技盤の前記受入口への遊技球の受入れに応じて所定数の遊技球を賞球として払出すとともに貸球要求信号に基いて所定数の遊技球を貸球として払出すことが可能な払出装置と、
前記払出装置から払出された遊技球を流通させる連絡樋と、
前記連絡樋を流通した遊技球を貯留可能とすると共に底面が所定位置へ向って低くなるように傾斜する貯留部と、
前記貯留部の奥側の壁を形成する奥板部と、
前記連絡樋を流通した遊技球を前記貯留部へ流入させる流入口と、
前記貯留部に貯留されている遊技球を一列に整列させる傾斜部と、
前記傾斜部に整列されている遊技球を前記打球発射装置へ供給する供給口と、を有する遊技機であって、
前記貯留部の前記傾斜部を前記奥板部の前方に形成し、
前記傾斜部の正面視右方に下る傾斜角度より急な角度で前記奥板部方向へ下り傾斜する急傾斜面を含み、正面視前後方向の幅が前記供給口へ向かうに従って狭くなる第２の傾斜部を有し
前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されており、
一方、前記流入口は前記賞球と前記貸球の両方を流入させる共通の流入口として構成されており、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
前記底面のうち前記段差の手前側の箇所における底面の奥行幅は、遊技球が２列以上並びうる幅で形成される
ことを特徴とする遊技機。
【手続補正２】
【補正対象書類名】明細書
【補正対象項目名】０００７
【補正方法】変更
【補正の内容】
【０００７】
手段１：遊技機において、
「遊技者の操作によって遊技球を打ち込む打球発射装置と、
該打球発射装置によって遊技球が打ち込まれる遊技領域、及び該遊技領域内に配置され打ち込まれた遊技球を受入可能とされた受入口を少なくとも有する遊技盤と、
該遊技盤の前記受入口への遊技球の受入れに応じて所定数の遊技球を賞球として払出すとともに貸球要求信号に基いて所定数の遊技球を貸球として払出すことが可能な払出装置と、
前記払出装置から払出された遊技球を流通させる連絡樋と、
前記連絡樋を流通した遊技球を貯留可能とすると共に底面が所定位置へ向って低くなるように傾斜する貯留部と、
前記貯留部の奥側の壁を形成する奥板部と、
前記連絡樋を流通した遊技球を前記貯留部へ流入させる流入口と、
前記貯留部に貯留されている遊技球を一列に整列させる傾斜部と、
前記傾斜部に整列されている遊技球を前記打球発射装置へ供給する供給口と、を有する遊技機であって、
前記貯留部の前記傾斜部を前記奥板部の前方に形成し、
前記傾斜部の正面視右方に下る傾斜角度より急な角度で前記奥板部方向へ下り傾斜する急傾斜面を含み、正面視前後方向の幅が前記供給口へ向かうに従って狭くなる第２の傾斜部を有し
前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されており、
一方、前記流入口は前記賞球と前記貸球の両方を流入させる共通の流入口として構成されており、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
前記底面のうち前記段差の手前側の箇所における底面の奥行幅は、遊技球が２列以上並びうる幅で形成される」ものであることを特徴とする。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行可能な抽選手段と、
前記抽選手段による抽選結果に基づいて演出表示を実行可能な演出表示実行手段と、
前記抽選手段による抽選結果を示唆する示唆演出を実行可能な可動役物と、を備え、
前記可動役物は、
前記示唆演出が開始されると、収納位置とは異なる遊技者から当該可動役物の一部が視認不可能な待機位置へ移動して煽り演出を行い出現位置へ移動して収納位置へ戻る第１演出と、
前記示唆演出の開始後、前記煽り演出を実行せずに前記出現位置まで移動し、その後、前記収容位置に戻る第２演出と、を実行可能であるとともに、
移動によって視認可能となる箇所に発光部を備え、前記第１演出実行時に前記発光部にて発光演出を実行可能に構成されており、
前記出現位置において、前記可動役物を注目させる手段を有する
前記演出表示実行手段により実行される特定の演出表示にあわせて前記示唆演出を実行する
前記待機位置において、前記可動役物を注目させる手段を有することを特徴とする遊技機。
【手続補正２】
【補正対象書類名】明細書
【補正対象項目名】０００５
【補正方法】削除
【補正の内容】
【手続補正３】
【補正対象書類名】明細書
【補正対象項目名】０００８
【補正方法】変更
【補正の内容】
【０００８】
始動条件の成立に基づいて抽選を実行可能な抽選手段と、前記抽選手段による抽選結果に基づいて演出表示を実行可能な演出表示実行手段と、前記抽選手段による抽選結果を示唆する示唆演出を実行可能な可動役物と、を備え、前記可動役物は、前記示唆演出が開始されると、収納位置とは異なる遊技者から当該可動役物の一部が視認不可能な待機位置へ移動して煽り演出を行い出現位置へ移動して収納位置へ戻る第１演出と、前記示唆演出の開始後、前記煽り演出を実行せずに前記出現位置まで移動し、その後、前記収容位置に戻る第２演出と、を実行可能であるとともに、移動によって視認可能となる箇所に発光部を備え、前記第１演出実行時に前記発光部にて発光演出を実行可能に構成されており、前記出現位置において、前記可動役物を注目させる手段を有する前記演出表示実行手段により実行される特定の演出表示にあわせて前記示唆演出を実行する前記待機位置において、前記可動役物を注目させる手段を有することを特徴とする遊技機。
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
識別情報の可変表示の表示結果として特定表示結果が導出されたときに遊技者にとって有利な有利状態に制御する遊技機であって、
普通識別情報を可変表示する普通可変表示手段と、
遊技媒体が入賞しやすい第１状態と入賞しがたい第２状態とに制御可能な普通可変入賞装置と、
前記普通可変表示手段に所定表示結果が導出されたときに、前記普通可変入賞装置を前記第１状態に制御する普通可変入賞装置制御手段と、
通常状態よりも前記普通可変入賞装置を前記第１状態に制御しやすい特定状態に制御可能な特定状態制御手段と、
少なくとも、前記特定表示結果が導出されることの示唆または前記所定表示結果が導出されるか否かを報知する所定演出を行う所定演出実行手段と、
前記所定演出実行手段により前記所定表示結果が導出されるか否かを報知する前記所定演出が実行されたが前記所定表示結果が導出されない場合にのみ実行可能な特定演出を実行する特定演出実行手段とを備え、
前記特定状態において前記所定演出の実行を制限するとともに、
有利状態において、前記所定演出の実行を制限する
ことを特徴とする遊技機。
【手続補正２】
【補正対象書類名】明細書
【補正対象項目名】０００９
【補正方法】変更
【補正の内容】
【０００９】
（１）本発明による遊技機は、識別情報の可変表示の表示結果として特定表示結果が導出されたときに遊技者にとって有利な有利状態に制御する遊技機であって、普通識別情報（例えば、普通図柄）を可変表示する普通可変表示手段（例えば、普通図柄表示器１０）と、遊技媒体が入賞しやすい第１状態と入賞しがたい第２状態とに制御可能な普通可変入賞装置（例えば、可変入賞球装置１５）と、普通可変表示手段に所定表示結果（例えば、当り図柄）が導出されたときに、普通可変入賞装置を第１状態に制御する普通可変入賞装置制御手段（例えば、遊技制御用マイクロコンピュータ５６０において、ステップＳ４５３〜Ｓ４５５の処理を実行する部分）と、通常状態よりも普通可変入賞装置を第１状態に制御しやすい特定状態に制御可能な特定状態制御手段と、少なくとも、特定表示結果が導出されることの示唆または所定表示結果が導出されるか否かを報知する所定演出（例えば、普通図柄連動予告）を行う所定演出実行手段（例えば、演出制御用マイクロコンピュータ１００において、ステップＳ５２９，Ｓ５３３の処理を実行する部分）と、所定演出実行手段により所定表示結果が導出されるか否かを報知する所定演出が実行されたが所定表示結果が導出されない場合にのみ実行可能な特定演出を実行する特定演出実行手段（例えば、演出制御用マイクロコンピュータ１００において、ステップＳ７４７，Ｓ７４９，Ｓ５５４，Ｓ５６３，Ｓ５６４，Ｓ１９０７，Ｓ１９０９の処理を実行する部分）とを備え、特定状態において所定演出の実行を制限するとともに、有利状態において、所定演出の実行を制限することを特徴とする。
そのような構成によれば、普通識別情報の表示結果として所定表示結果が導出されない場合に、遊技の興趣が低下することを防止することができる。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
可変表示を開始させた後に表示結果を導出表示する複数の可変表示部から構成される可変表示手段に導出表示された可変表示の表示結果が特定表示結果となったときに遊技者にとって有利な有利状態に制御可能な遊技機であって、
前記有利状態に制御するか否かを決定する決定手段と、
前記決定手段の決定結果にもとづいて、演出の実行を制御する演出制御手段と、を備え、
前記演出制御手段は、
前記可変表示手段において前記特定表示結果の一部を構成しているが、少なくとも一部の前記可変表示部において可変表示中であるリーチ状態となった後にリーチ演出を実行してから前記可変表示手段に表示結果を導出表示させるリーチ演出実行手段と、
可変表示が開始されてから前記リーチ演出実行手段により前記リーチ演出が実行されるまでに、特定演出を所定回数繰り返し実行する特定演出実行手段と、
前記特定演出を繰り返し実行する前に示唆演出を実行可能な示唆演出実行手段と、
前記特定演出が繰り返された回数を認識可能に報知する報知手段と、を含み、
前記リーチ演出実行手段は、第１リーチ演出と、第２リーチ演出と、を少なくとも実行可能であり、
前記演出制御手段は、前記第１リーチ演出を実行し前記可変表示手段において前記特定表示結果でない非特定表示結果を仮停止させ、一部の前記可変表示部の可変表示を再開させた後に、前記第２リーチ演出を実行する第１発展演出、または前記可変表示手段において前記非特定表示結果を仮停止させずに前記第２リーチ演出を実行する第２発展演出を実行可能な発展演出実行手段をさらに含み、
前記発展演出実行手段は、前記特定演出実行手段により前記特定演出が特定回数以上実行されるときは、前記第１発展演出を実行せずに前記第２発展演出を実行可能であり、
前記示唆演出実行手段は、複数のタイミングのうちのいずれかのタイミングにもとづいて前記示唆演出を実行可能である
ことを特徴とする遊技機。
【手続補正２】
【補正対象書類名】明細書
【補正対象項目名】００１０
【補正方法】変更
【補正の内容】
【００１０】
本発明による遊技機は、可変表示を開始させた後に表示結果を導出表示する複数の可変表示部（例えば、演出図柄表示エリア９Ｌ、９Ｃ、Ｒ）から構成される可変表示手段（例えば、演出表示装置９）に導出表示された可変表示の表示結果が特定表示結果（例えば大当り図柄：左、中、右の演出図柄の停止図柄の組み合わせが大当りの組み合わせ）となったときに遊技者にとって有利な有利状態（例えば大当り遊技状態）に制御可能な遊技機（例えばパチンコ遊技機１など）であって、有利状態に制御するか否かを決定する決定手段（例えば、遊技制御用マイクロコンピュータ５６０がステップＳ２３９の処理を実行する部分）と、決定手段の決定結果にもとづいて、演出の実行を制御する演出制御手段と、を備え、演出制御手段は、可変表示手段において特定表示結果の一部を構成しているが、少なくとも一部の可変表示部において可変表示中であるリーチ状態となった後にリーチ演出を実行してから可変表示手段に表示結果を導出表示させるリーチ演出実行手段（例えば、演出制御用マイクロコンピュータ１００がステップＳ１６２，Ｓ１６３の処理においてリーチを伴う変動パターンに基づいてリーチ演出を実行してから表示結果を導出表示する部分）と、可変表示が開始されてからリーチ演出実行手段によりリーチ演出が実行されるまでに、特定演出を所定回数繰り返し実行する特定演出実行手段と、特定演出を繰り返し実行する前に示唆演出を実行可能な示唆演出実行手段と、特定演出が繰り返された回数を認識可能に報知する報知手段と、を含み、リーチ演出実行手段は、第１リーチ演出（例えば、ノーマルリーチのリーチ演出）と、第２リーチ演出（例えば、スーパーリーチα，βのリーチ演出）と、を少なくとも実行可能であり、演出制御手段は、第１リーチ演出を実行し可変表示手段において特定表示結果でない非特定表示結果（例えば、リーチハズレ図柄やバラケ目）を仮停止させ、一部の可変表示部の可変表示を再開させた後に、第２リーチ演出を実行する第１発展演出（例えば、「仮停止後−１」や「バラケ目」の発展演出）、または可変表示手段において非特定表示結果を仮停止させずに第２リーチ演出を実行する第２発展演出（例えば、リーチハズレ図柄やバラケ目を仮停止表示させずにスーパーリーチとする演出）を実行可能な発展演出実行手段（例えば、演出制御用マイクロコンピュータ１００がステップＳ５５４Ｂの発展演出設定処理における決定結果に基づいて、ステップＳ１６２の処理を実行する部分）をさらに含み、発展演出実行手段は、特定演出実行手段により特定演出が特定回数（例えば３回）以上実行されるときは、第１発展演出を実行せずに第２発展演出を実行可能であり（例えば、演出制御用マイクロコンピュータ１００はステップＳ９２５にてＮと判定されたときにのみステップＳ９２７〜Ｓ９３０の処理を実行する）、示唆演出実行手段は、複数のタイミングのうちのいずれかのタイミングにもとづいて示唆演出を実行可能であることを特徴とする。
そのような構成によれば、無駄な演出を除外して遊技の興趣を向上させることができる。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
当選または不当選を決定する抽選を行い、前記抽選の結果に応じて遊技を進行させる遊技機であって、
画像を表示するとともに動作可能に設けられた画像表示手段と、
前記画像表示手段の動作の状態を検出する動作状態検出手段と、
前記画像表示手段に表示させる画像を制御する処理と前記画像表示手段の動作を制御する処理を行う演出制御手段を備え、
前記演出制御手段は、
前記抽選の結果に応じて前記画像表示手段に遊技を演出する演出画像を表示させるとともに前記画像表示手段に遊技を演出する演出動作を行わせ、
前記画像表示手段に前記演出動作を行わせる場合に、前記動作状態検出手段により前記画像表示手段の動作が予め定められた動作に沿っていないことが検出された場合に、前記画像表示手段に動作を補正する補正動作を行わせ、
前記画像表示手段に前記補正動作を行わせる場合に、前記画像表示手段に補正中画像を表示させ、
前記補正動作が終了すると、前記画像表示手段に前記演出画像を表示させることを特徴とする遊技機。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
可変表示領域において各々を識別可能な通常識別情報と該通常識別情報とは異なる特殊識別情報とを含む識別情報の可変表示を実行する可変表示実行手段を備え、遊技者にとって有利な有利状態に制御可能な遊技機であって、
前記可変表示実行手段は、
通常識別情報を複数含む通常配列により可変表示を実行する通常配列可変表示実行手段と、通常識別情報と前記通常配列には含まれない特殊識別情報とを含む特殊配列により可変表示を実行する特殊配列可変表示実行手段とを含み、
前記可変表示領域の停止位置に前の識別情報を表示してから次の識別情報を停止表示するまでに、当該次の識別情報の少なくとも一部を遊技者が視認可能となるように可変表示を実行し、
前記特殊配列可変表示実行手段は、
前記可変表示領域の停止位置に前の通常識別情報を表示してから次の特殊識別情報を停止表示するまでの特殊期間を、前記通常配列可変表示実行手段により前記可変表示領域の停止位置に前の通常識別情報を表示してから次の通常識別情報を停止表示するまでの通常期間よりも長くなるように可変表示を実行し、
前記有利状態に制御される場合に、特殊配列により可変表示を実行可能である
ことを特徴とする遊技機。
【手続補正２】
【補正対象書類名】明細書
【補正対象項目名】０００９
【補正方法】変更
【補正の内容】
【０００９】
（１）本発明による遊技機は、可変表示領域において各々を識別可能な通常識別情報と該通常識別情報とは異なる特殊識別情報とを含む識別情報（例えば、特別図柄や飾り図柄）の可変表示を実行する可変表示実行手段を備え、遊技者にとって有利な有利状態に制御可能な遊技機であって、可変表示実行手段は、通常識別情報を複数含む通常配列により可変表示を実行する通常配列可変表示実行手段（例えば、演出制御用マイクロコンピュータ１００において、Ｓ８３１の処理で選択した変動パターンにもとづいて、ステップＳ８３２〜Ｓ８３３，Ｓ８４１〜Ｓ８４３の処理を実行する部分）と、通常識別情報と通常配列には含まれない特殊識別情報とを含む特殊配列（例えば、図柄「Ａ」などの特殊図柄）により可変表示を実行する特殊配列可変表示実行手段（例えば、演出制御用マイクロコンピュータ１００において、Ｓ８２５の処理で選択した変動パターンにもとづいて、ステップＳ８３２〜Ｓ８３３，Ｓ８４１〜Ｓ８４３の処理を実行する部分）とを含み、可変表示領域の停止位置に前の識別情報を表示してから次の識別情報を停止表示するまでに、当該次の識別情報の少なくとも一部を遊技者が視認可能となるように可変表示を実行し、特殊配列可変表示実行手段は、可変表示領域の停止位置に前の通常識別情報を表示してから次の特殊識別情報を停止表示するまでの特殊期間を、通常配列可変表示実行手段により可変表示領域の停止位置に前の通常識別情報を表示してから次の通常識別情報を停止表示するまでの通常期間よりも長くなるように可変表示を実行し（図３３（Ｅ）〜（Ｇ）、図３４（Ｅ）参照）、有利状態に制御される場合に、特殊配列により可変表示を実行可能であることを特徴とする。 
そのような構成によれば、遊技者に、特殊識別情報を識別情報であると確実に認識させることができるようになる。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
入力オーディオ信号に応じて圧縮器の閾値を動的に調整する方法であって：
複数の周波数帯域成分をもつ入力オーディオ信号を受領する段階と：
前記複数の周波数帯域成分に応じて、複数の閾値を決定する段階であって、各閾値はそれぞれの周波数帯域成分に対応する、段階と；
圧縮器によって、各周波数帯域成分に対して、前記対応する閾値をもつ圧縮動作を実行して、複数の利得を生成する段階であって、各利得はそれぞれの周波数帯域成分に対応する、段階と；
各利得を、対応する周波数帯域成分に適用して、複数の処理された周波数帯域成分を生成する段階と；
前記処理された周波数帯域成分の知覚されるスペクトルの時間変化する推定値を決定する段階と；
前記知覚されるスペクトル推定値によって誘起される歪みスペクトルの時間変化する推定値を決定する段階と；
前記知覚されるスペクトル推定値の存在における前記歪みスペクトル推定値の可聴性指標を予測する段階と；
前記閾値の一つまたは複数を、予測された可聴性指標に従って調整する段階とを含む、
方法。
【請求項２】
前記歪みスペクトル推定値は、前記知覚されるスペクトル推定値に対する歪みモデルの応答に従って決定される、請求項１記載の方法。
【請求項３】
前記歪みスペクトル推定値は、第一の周波数帯域成分の第一の推定された歪みを含み、前記第一の推定された歪みは、前記第一の周波数帯域成分におよび前記第一の周波数帯域成分より高い周波数の周波数帯域成分の少なくとも一部に誘起される歪みの最大として決定される、請求項２記載の方法。
【請求項４】
前記知覚されるスペクトル推定値の決定は：
前記処理された周波数帯域成分に平滑化処理を適用することを含む、
請求項１ないし３のうちいずれか一項記載の方法。
【請求項５】
前記知覚されるスペクトル推定値の存在における前記歪みスペクトル推定値の可聴性指標を予測する段階が、
前記知覚されるスペクトル推定値からマスキング閾値を計算し；
前記歪みスペクトル推定値と前記マスキング閾値との間の差を決定し；
決定された差の正の値を合計して前記の予測された可聴性指標を生成することを含む、
請求項１ないし４のうちいずれか一項記載の方法。
【請求項６】
前記マスキング閾値は、前記知覚されるスペクトル推定値に基づくトーン性スペクトルを参照して計算され、前記トーン性スペクトルは、トーン的な周波数帯域成分からノイズ的な周波数帯域成分を区別するトーン性値を含む、請求項５記載の方法。
【請求項７】
合計される、決定された差の正の値は、一つまたは複数の上の周波数帯域成分および一つまたは複数の下の周波数帯域成分が、該上および下の帯域成分の間の周波数帯域成分より低い重みをもつよう重み付けされる、請求項５または６記載の方法。
【請求項８】
前記閾値は時間変化する閾値である、請求項１ないし７のうちいずれか一項記載の方法。
【請求項９】
各時間変化する閾値は、周波数帯域成分に従ってかつ対応する固定閾値に従って決定される、請求項８記載の方法。
【請求項１０】
各時間変化する閾値は、前記対応する周波数帯域成分に従ってかつ対応する固定閾値に従って決定される、請求項９記載の方法。
【請求項１１】
歪みの可聴性指標を予測し；
予測された可聴性指標を規格化し；
前記固定閾値の一つまたは複数を参照して、かつオフセット値に適用される前記の規格化された可聴性指標に従って、前記時間変化する閾値の一つまたは複数を上げるまたは下げることを含む、
請求項８記載の方法。
【請求項１２】
前記出力信号のデータを記憶媒体上に記憶する段階をさらに含む、
請求項１ないし１１のうちいずれか一項記載の方法。
【請求項１３】
請求項１記載の動作を実行するよう構成された装置。
【請求項１４】
請求項２ないし１２のうち一つまたは複数に記載の動作を実行するよう構成された装置。
【請求項１５】
前記入力オーディオ信号をフィルタリングして前記複数の周波数帯域成分を生成することができるフィルタリング・モジュールをさらに有する、
請求項１３または１４記載の装置。
【請求項１６】
前記フィルタリング・モジュールが、複数の帯域通過フィルタを有するマルチ帯域フィルタを有し、各帯域通過フィルタはそれぞれの周波数帯域成分に対応する、請求項１５記載の装置。
【請求項１７】
前記出力信号を受領するよう結合された一つまたは複数の増幅器をさらに有し、前記一つまたは複数の増幅器は、前記出力信号を増幅して、増幅された出力信号を生成することができる、請求項１３ないし１６のうちいずれか一項記載の装置。
【請求項１８】
前記出力信号または前記増幅された出力信号を受領するよう結合されたディスプレイ装置をさらに有し、前記ディスプレイ装置は、前記受領された信号に関連するグラフィック・データを表示することができる、請求項１７記載の装置。
【請求項１９】
入力オーディオ信号に応じて圧縮器の閾値を動的に調整するために方法を実行させるようコンピューティング装置によって実行可能な命令を記憶しており、前記方法が請求項１記載の動作を含む、非一時的なコンピュータ可読記憶媒体。
【請求項２０】
前記方法がさらに、請求項２ないし１２のうち一つまたは複数に記載の一つまたは複数の動作を含む、請求項１９記載の非一時的なコンピュータ可読記憶媒体。